(57)【要約】【課題】厳しい使用／環境下においても光検出器に位置ずれが生じることなく安定した動作を光ピックアップ装置に行わせる。【解決手段】メディアから反射された光を受光する光検出器１０と、光検出器１０が装備されるハウジング５０とを備える光ピックアップ装置１に関する。光検出器１０は、光検出器１０をハウジング５０に装着させる接着剤が用いられてハウジング５０に固定され、ハウジング５０に対し光検出器１０もしくは接着剤の位置ずれを防ぐ位置ずれ防止部８０Ａ，８０Ｂがハウジング５０に設けられ、位置ずれ防止部８０Ａ，８０Ｂは、複数の方向に沿って延設された固定部８１，８２，８３を有し、位置ずれ防止部８０Ａ，８０Ｂに接着剤が塗布されることで、ハウジング５０に光検出器１０が装着される。光検出器１０は、接着剤および位置ずれ防止部８０Ａ，８０Ｂによって、確実にハウジング５０に固定される。【選択図】図１
2011123996.tif 000002
【特許請求の範囲】
【請求項１】
メディアから反射された光を受光する光検出器と、
該光検出器が装備されるハウジングと
を備え、
該光検出器は、該光検出器を該ハウジングに装着させる接着剤が用いられて該ハウジングに固定され、
該ハウジングに対し該光検出器もしくは該接着剤の位置ずれを防ぐ位置ずれ防止部が該ハウジングに設けられ、
該位置ずれ防止部は、複数の方向に沿って延設された固定部を有し、
該位置ずれ防止部に該接着剤が塗布されることで、該ハウジングに該光検出器が装着されたことを特徴とする光ピックアップ装置。
【請求項２】
前記位置ずれ防止部は、
第一方向に沿って延設された第一固定部と、
該第一方向と異なる方向の第二方向に沿って延設された第二固定部と
を備えることを特徴とする請求項１に記載の光ピックアップ装置。
【請求項３】
前記第一方向に沿って延設された前記第一固定部に対し、前記第二方向に沿って延設された前記第二固定部は、略直交する方向に沿って延長形成されたことを特徴とする請求項２に記載の光ピックアップ装置。
【請求項４】
前記第一方向は、前記光検出器に当てられる前記光の光軸方向とされ、
前記第二方向は、該光検出器に該光が当てられたときの照射面に沿った方向とされたことを特徴とする請求項２又は３に記載の光ピックアップ装置。
【請求項５】
前記位置ずれ防止部は、前記第一固定部と前記第二固定部とを隔てる離間部を、さらに備えることを特徴とする請求項２〜４の何れか１項に記載の光ピックアップ装置。
【請求項６】
前記位置ずれ防止部は、前記第一方向と異なる方向とされ且つ前記第二方向と異なる方向とされる第三方向に沿って延設された第三固定部を、さらに備えることを特徴とする請求項２〜５の何れか１項に記載の光ピックアップ装置。
【請求項７】
前記第一方向に沿って延設された前記第一固定部と、前記第二方向に沿って延設された前記第二固定部とに対し、前記第三方向に沿って延設された前記第三固定部は、略直交する方向に沿って延長形成されたことを特徴とする請求項６に記載の光ピックアップ装置。
【請求項８】
前記第三方向は、前記光検出器に前記光が当てられたときの照射面に沿った方向とされたことを特徴とする請求項６又は７に記載の光ピックアップ装置。
【請求項９】
前記位置ずれ防止部は、前記第一固定部と、前記第三固定部とを隔てる離間部をさらに備えることを特徴とする請求項６〜８の何れか１項に記載の光ピックアップ装置。
【請求項１０】
前記固定部は、前記接着剤が入り込むことのできる溝を備えることを特徴とする請求項１〜９の何れか１項に記載の光ピックアップ装置。
【請求項１１】
前記位置ずれ防止部は、前記ハウジングから突設された突出部に設けられたことを特徴とする請求項１〜１０の何れか１項に記載の光ピックアップ装置。
【請求項１２】
前記光検出器は、前記ハウジングに対し該光検出器の位置決めを行わせ易くさせる固定板に装備され、
該固定板と、該ハウジングの前記位置ずれ防止部とに、前記接着剤が塗布されたことを特徴とする請求項１〜１１の何れか１項に記載の光ピックアップ装置。
【請求項１３】
前記接着剤として、紫外線が照射されることで硬化する紫外線硬化型接着剤が用いられたことを特徴とする請求項１〜１２の何れか１項に記載の光ピックアップ装置。
【請求項１４】
前記接着剤として、エポキシ系接着剤が用いられたことを特徴とする請求項１〜１３の何れか１項に記載の光ピックアップ装置。
【請求項１５】
持運びが容易なコンピュータの光ディスク装置に装備可能とされたことを特徴とする請求項１〜１４の何れか１項に記載の光ピックアップ装置。
【発明の詳細な説明】
【技術分野】
【０００１】
本発明は、例えば光ディスク装置に装備され、光ディスクなどのメディアの情報を読み取ることが可能な光ピックアップ装置に関するものである。
【背景技術】
【０００２】
図４は、従来の光ピックアップ装置の一形態を示す斜視図である。
【０００３】
ハウジング５５０にフォトディテクタ５１０が装備されている。ハウジングとは、部品が収容される箱形のもの等の物が入れられる箱や、箱に類似したものを意味する。
【０００４】
フォトディテクタ５１０は、光ディスク（図示せず）からの反射光の一部を受光して、この受光量に比例した受光電流を生成する光検出器５１０とされている。この受光電流は、検出信号とされる。フォトディテクタ５１０は、光を受けて、その信号を電気信号に変えて、光ピックアップ装置５０１のレンズホルダ（図示せず）のサーボ機構（図示せず）を動作させるための信号を出力するためのものとされている。サーボもしくはサーボ機構とは、制御の対象とされるものの状態を測定し、測定したものと基準値とを比較して、自動的に修正制御を行わせる機構のものを意味する。フォトディテクタ（Photo Detector）は、「ＰＤ」と略称される。この光検出器５１０は、フレキシブル回路体５０５に接続されている。また、この光検出器５１０は、プレート５２０に固定されている。
【０００５】
光検出器５１０がハウジング５５０に装着されるときの工程について説明する。先ず、光検出器５１０の光路位置調整を行う。ハウジング５５０内に形成される光路（図示せず）に対し、光検出器５１０のＸ軸と、光検出器５１０のＹ軸と、光検出器５１０のＺ軸とを調整する。ハウジング５５０に対する光検出器５１０の取付位置調整が行われたのちに、光検出器５１０が装着されたプレート５２０と、ハウジング５５０との間に、固定用の接着剤（図示せず）を橋渡すようにして塗布する。このとき、硬化した接着剤にアンカー効果を発揮させ、ハウジング５５０に対し光検出器５１０を備えるプレート５２０の接着性を向上させるために、ハウジング５５０の固定部５８０Ａ，５８０Ｂに溝５８１が設けられている。
【０００６】
図４に示す従来の光ピックアップ装置５０１に類似したものとして、例えば、光検出器の位置精度における不安定要素を軽減させた光学ヘッドの光検出器取付装置というものがある（例えば、特許文献１参照。）。
【先行技術文献】
【特許文献】
【０００７】
【特許文献１】特開２００２−２５１７７６号公報（第３頁、第１，２図）
【発明の概要】
【発明が解決しようとする課題】
【０００８】
しかしながら、図４に示す上記従来の光ピックアップ装置５０１にあっては、Ｘ方向という一方向だけに沿って溝５８１が延設されているため、振動が多く加えられる等の厳しい使用／環境下で用いられる光ピックアップ装置５０１においては、接着部分５８０Ａ，５８０Ｂに位置ずれが生じる可能性があった。接着部分５８０Ａ，５８０Ｂに位置ずれが生じると、光検出器５１０に正確に光が入射されなくなる。その結果、光ピックアップ装置５０１が正常に作動されなくなるという不具合の発生が懸念されていた。
【０００９】
本発明は、上記問題点を解決することにある。本発明は、上記した点に鑑み、厳しい使用／環境下においても光検出器に位置ずれが生じることなく安定した動作を行う光ピックアップ装置を提供することを目的とする。
【課題を解決するための手段】
【００１０】
上記目的を達成するために、本発明の請求項１に係る光ピックアップ装置は、メディアから反射された光を受光する光検出器と、該光検出器が装備されるハウジングとを備え、該光検出器は、該光検出器を該ハウジングに装着させる接着剤が用いられて該ハウジングに固定され、該ハウジングに対し該光検出器もしくは該接着剤の位置ずれを防ぐ位置ずれ防止部が該ハウジングに設けられ、該位置ずれ防止部は、複数の方向に沿って延設された固定部を有し、該位置ずれ防止部に該接着剤が塗布されることで、該ハウジングに該光検出器が装着されたことを特徴とする。
【００１１】
上記構成により、光検出器は、接着剤および位置ずれ防止部により確実にハウジングに固定される。ハウジングに対し光検出器もしくは接着剤の位置ずれを防ぐ位置ずれ防止部がハウジングに設けられ、位置ずれ防止部は、複数の方向に沿って延設された固定部を有するものとされているので、例えば、光ピックアップ装置に激しい振動が加えられることがあっても、ハウジングに対し光検出器が位置ずれを起こし、光ピックアップ装置が正常に作動されなくなるという不具合の発生は回避される。光検出器は、ハウジングの位置ずれ防止部に固着される接着剤により、ハウジングに固定される。従って、厳しい使用／環境下においても光検出器に位置ずれが生じることなく安定した動作が行われる光ピックアップ装置の提供が可能となる。
【００１２】
請求項２に係る光ピックアップ装置は、請求項１に記載の光ピックアップ装置において、前記位置ずれ防止部は、第一方向に沿って延設された第一固定部と、該第一方向と異なる方向の第二方向に沿って延設された第二固定部とを備えることを特徴とする。
【００１３】
上記構成により、光検出器は、接着剤と、ハウジングに設けられた位置ずれ防止部の第一固定部および第二固定部とにより、確実にハウジングに固定される。第一方向に沿って延設された第一固定部と、第二方向に沿って延設された第二固定部とは、異なる方向に沿って延ばされているので、光ピックアップ装置に複雑な振動が加えられても、光検出器は、接着剤を介して第一固定部と第二固定部とに確実に固定され続ける。第一方向に沿って延設された第一固定部と、第二方向に沿って延設された第二固定部とは、ハウジングに対する光検出器の位置ずれを防止させるストッパーとしての機能を果たす。
【００１４】
請求項３に係る光ピックアップ装置は、請求項２に記載の光ピックアップ装置において、前記第一方向に沿って延設された前記第一固定部に対し、前記第二方向に沿って延設された前記第二固定部は、略直交する方向に沿って延長形成されたことを特徴とする。
【００１５】
上記構成により、光検出器は、接着剤と、ハウジングに設けられた位置ずれ防止部の第一固定部および第二固定部とにより、確実にハウジングに固定される。第一方向に沿って延設された第一固定部に対し、第二方向に沿って延設された第二固定部は、略直交する方向に沿って延長形成されているので、光ピックアップ装置に複雑な振動が加えられて、光ピックアップ装置のハウジングに対し、光検出器に位置ずれが生じるということは回避される。例えば、光ピックアップ装置に共振が生じることがあっても、光検出器は、接着剤を介して、ハウジングに設けられた位置ずれ防止部の第一固定部と、第一固定部が延設された第一方向に対し、略直交する方向とされる第二方向に沿って延長形成された第二固定部とにより、確実にハウジングに固着され続ける。
【００１６】
請求項４に係る光ピックアップ装置は、請求項２又は３に記載の光ピックアップ装置において、前記第一方向は、前記光検出器に当てられる前記光の光軸方向とされ、前記第二方向は、該光検出器に該光が当てられたときの照射面に沿った方向とされたことを特徴とする。
【００１７】
上記構成により、光ピックアップ装置に複雑な振動が加えられ、その結果、光ピックアップ装置のハウジングに対して光検出器に位置ずれが生じ、光ピックアップ装置が正常に作動しないという不具合の発生は確実に回避される。ハウジングに設けられた位置ずれ防止部の第一固定部は、光検出器に当てられる光の光軸方向に沿って延設されているので、光ピックアップ装置に共振が生じたときに、光検出器の照射面に沿って光検出器に位置ずれが生じるということは回避される。光検出器の照射面に沿った方向の力が光検出器に加えられようとされたときに、光検出器の光軸方向に沿って延設された位置ずれ防止部の第一固定部により、光検出器の照射面に沿った方向の力はくい止められる。また、ハウジングに設けられた位置ずれ防止部の第二固定部は、光検出器に光が当てられたときの照射面に沿って延設されているので、光ピックアップ装置に共振が生じたときに、光検出器の光軸方向に沿って光検出器に位置ずれが生じるということは回避される。光検出器の光軸方向に沿った力が光検出器に加えられようとされたときに、光検出器の照射面に沿って延設された位置ずれ防止部の第二固定部により、光検出器の光軸方向に沿った力はくい止められる。従って、光ピックアップ装置に共振が生じることで、光ピックアップ装置のハウジングに対し光検出器に位置ずれが生じ、その結果、光ピックアップ装置が正常に作動されないという不具合の発生は確実に回避される。
【００１８】
請求項５に係る光ピックアップ装置は、請求項２〜４の何れか１項に記載の光ピックアップ装置において、前記位置ずれ防止部は、前記第一固定部と前記第二固定部とを隔てる離間部を、さらに備えることを特徴とする。
【００１９】
上記構成により、光ピックアップ装置のハウジングに対し、光検出器に位置ずれが生じるということは確実に防止される。ハウジングに設けられた位置ずれ防止部の第一固定部と第二固定部との間に、両固定部を隔てる離間部が備えられているので、接着剤が用いられてハウジングに光検出器が装着されるときに、接着剤は、第一固定部と第二固定部との間の離間部に介在される。これにより、光検出器は、確実にハウジングに固着される。第一固定部と第二固定部とを隔てる離間部に接着剤が介在されることにより、光ピックアップ装置に各方向から激しい振動が加えられても、位置ずれ防止部の第一固定部と、第二固定部と、両固定部を隔てる離間部とに介在された接着剤により、光検出器に位置ずれが生じるということは回避される。従って、安定した動作が行われる光ピックアップ装置の提供が可能となる。
【００２０】
請求項６に係る光ピックアップ装置は、請求項２〜５の何れか１項に記載の光ピックアップ装置において、前記位置ずれ防止部は、前記第一方向と異なる方向とされ且つ前記第二方向と異なる方向とされる第三方向に沿って延設された第三固定部を、さらに備えることを特徴とする。
【００２１】
上記構成により、光検出器は、より確実にハウジングに固定される。光ピックアップ装置のハウジングに設けられた位置ずれ防止部は、各方向に沿って延設された第一固定部と第二固定部と第三固定部とを備えるものとされているので、光ピックアップ装置に激しい振動が加えられても、光検出器は、第一固定部と第二固定部と第三固定部と接着剤とにより、確実にハウジングに固定され続ける。従って、厳しい使用／環境下で光ピックアップ装置が使われても、ハウジングに対して光検出器が位置ずれを起こし、光ピックアップ装置に動作不良が生じるということは回避される。
【００２２】
請求項７に係る光ピックアップ装置は、請求項６に記載の光ピックアップ装置において、前記第一方向に沿って延設された前記第一固定部と、前記第二方向に沿って延設された前記第二固定部とに対し、前記第三方向に沿って延設された前記第三固定部は、略直交する方向に沿って延長形成されたことを特徴とする。
【００２３】
上記構成により、光検出器は、接着剤と、ハウジングに設けられた位置ずれ防止部の第一固定部と第二固定部と第三固定部とにより、確実にハウジングに固定される。第一方向に沿って延設された第一固定部と、第二方向に沿って延設された第二固定部とに対し、第三方向に沿って延設された第三固定部は、略直交する方向に沿って延長形成されているので、光ピックアップ装置に複雑な振動が加えられて、光ピックアップ装置のハウジングに対し、光検出器に位置ずれが生じるということは確実に回避される。例えば、光ピックアップ装置に共振が生じることがあっても、光検出器は、接着剤を介して、ハウジングに設けられた位置ずれ防止部の第一固定部と、第一方向に対し略直交する方向の第二方向に沿って延長形成された第二固定部と、第一方向と第二方向とに対し略直交する方向の第三方向に沿って延設された第三固定部とにより、確実にハウジングに固着され続ける。
【００２４】
請求項８に係る光ピックアップ装置は、請求項６又は７に記載の光ピックアップ装置において、前記第三方向は、前記光検出器に前記光が当てられたときの照射面に沿った方向とされたことを特徴とする。
【００２５】
上記構成により、光ピックアップ装置に複雑な振動が加えられ、その結果、光ピックアップ装置のハウジングに対して光検出器に位置ずれが生じ、光ピックアップ装置が正常に作動しないという不具合の発生は回避される。ハウジングに設けられた位置ずれ防止部の第三固定部は、光検出器に光が当てられたときの照射面に沿って延設されているので、光ピックアップ装置に共振が生じたときに、光検出器の光軸方向に沿って光検出器に位置ずれが生じるということは回避される。光検出器の光軸方向に沿った力が光検出器に加えられようとされたときに、光検出器の照射面に沿って延設された位置ずれ防止部の第三固定部により、光検出器の光軸方向に沿った力は、よりくい止められる。
【００２６】
請求項９に係る光ピックアップ装置は、請求項６〜８の何れか１項に記載の光ピックアップ装置において、前記位置ずれ防止部は、前記第一固定部と、前記第三固定部とを隔てる離間部をさらに備えることを特徴とする。
【００２７】
上記構成により、光ピックアップ装置のハウジングに対し、光検出器に位置ずれが生じるということは、より防止される。ハウジングに設けられた位置ずれ防止部の第一固定部と第三固定部との間に、両固定部を隔てる離間部が備えられているので、接着剤が用いられてハウジングに光検出器が装着されるときに、接着剤は、第一固定部と第三固定部との間の離間部に介在される。これにより、光検出器は、確実にハウジングに固着される。第一固定部と第三固定部とを隔てる離間部に接着剤が介在されることにより、光ピックアップ装置に各方向から激しい振動が加えられても、位置ずれ防止部の第一固定部と、第三固定部と、両固定部を隔てる離間部とに介在された接着剤により、光検出器に位置ずれが生じるということは、より回避される。従って、安定した動作が行われる光ピックアップ装置の提供が可能となる。
【００２８】
請求項１０に係る光ピックアップ装置は、請求項１〜９の何れか１項に記載の光ピックアップ装置において、前記固定部は、前記接着剤が入り込むことのできる溝を備えることを特徴とする。
【００２９】
上記構成により、光検出器は、確実にハウジングに固定される。ハウジングの位置ずれ防止部に設けられた固定部の溝に接着剤が入り込むことで、ハウジングに対し光検出器は確実に固定される。溝に入り込んで硬化した接着剤にアンカー効果が発揮されるので、接着剤は確実に溝内に固着される。アンカー効果とは、接着剤が被着材の表面にある空隙に侵入硬化し、釘や楔のような働きをすることをいう。アンカー効果は、投錨効果もしくはファスナー効果とも呼ばれている。溝に入り込んで固化した接着剤にアンカー効果が発揮されるので、光ピックアップ装置のハウジングに激しい振動が加えられても、接着剤に位置ずれが生じるということは回避される。従って、光検出器は、ハウジングの位置ずれ防止部における固定部の溝に入り込んだ接着剤により、確実にハウジングに固定される。
【００３０】
請求項１１に係る光ピックアップ装置は、請求項１〜１０の何れか１項に記載の光ピックアップ装置において、前記位置ずれ防止部は、前記ハウジングから突設された突出部に設けられたことを特徴とする。
【００３１】
上記構成により、光検出器は、確実にハウジングに装着される。ハウジングに光検出器を固定させるときに、ハウジングから突設された突出部の位置ずれ防止部に接着剤を塗布させることで、光検出器は、ハウジングに確実に固着される。また、ハウジングから突出部が突設されたことにより、ハウジングに光検出器を装着させるための接着剤の塗布作業が行われ易くなる。接着剤が塗布されるための位置ずれ防止部を備えた突出部がハウジングに突設されることにより、ハウジングに対する光検出器の位置ずれ発生は回避され易くなる。
【００３２】
請求項１２に係る光ピックアップ装置は、請求項１〜１１の何れか１項に記載の光ピックアップ装置において、前記光検出器は、前記ハウジングに対し該光検出器の位置決めを行わせ易くさせる固定板に装備され、該固定板と、該ハウジングの前記位置ずれ防止部とに、前記接着剤が塗布されたことを特徴とする。
【００３３】
上記構成により、光検出器は、精度よくハウジングに装着される。接着剤が用いられて光検出器がハウジングに装着されるときに、固定板に光検出器が装備されていれば、ハウジングに対し、光検出器の取付けが行われるときの位置決め作業は行われ易くなる。光検出器がハウジングに装着されるときに、例えば、光路調整が行われつつハウジングに対し光検出器を備える固定板の取付位置調整が行われ、固定板の取付位置が定められたのちに、ハウジングの位置ずれ防止部と、固定板とに接着剤が塗布されることで、光検出器は、ハウジングに精度よく装着される。
【００３４】
請求項１３に係る光ピックアップ装置は、請求項１〜１２の何れか１項に記載の光ピックアップ装置において、前記接着剤として、紫外線が照射されることで硬化する紫外線硬化型接着剤が用いられたことを特徴とする。
【００３５】
上記構成により、光検出器は、迅速に精度よくハウジングに装着固定される。紫外線硬化型接着剤は、塗布された接着剤に紫外線が照射されるだけで硬化するものとされている。光検出器がハウジングに装備されるときに、紫外線硬化型接着剤が用いられていれば、接着剤の固化は迅速に行われる。従って、接着剤が硬化する過程で、ハウジングに対し光検出器に位置ずれが生じるということは回避され、光検出器は正確にハウジングに装備される。
【００３６】
請求項１４に係る光ピックアップ装置は、請求項１〜１３の何れか１項に記載の光ピックアップ装置において、前記接着剤として、エポキシ系接着剤が用いられたことを特徴とする。
【００３７】
上記構成により、光検出器は、精度よくハウジングに装着固定される。エポキシ系接着剤は、低収縮で耐熱性などに優れるものとされている。エポキシ系接着剤は、低収縮なものとされているので、ハウジングに対し光検出器は高精度に装着される。また、エポキシ系接着剤は、耐熱性に優れるものとされているので、例えば、光ピックアップ装置のハウジングが高温となったときに、接着剤が熱の影響を受けて甚だしく変質するということは回避される。光ピックアップ装置が高温となっても、光検出器は、エポキシ系接着剤により、ハウジングに精度よく確実に装着され続ける。
【００３８】
請求項１５に係る光ピックアップ装置は、請求項１〜１４の何れか１項に記載の光ピックアップ装置において、持運びが容易なコンピュータの光ディスク装置に装備可能とされたことを特徴とする。
【００３９】
上記構成により、持運びが容易なコンピュータ用光ディスク装置の光ピックアップ装置が動作不良を起こし、その結果、持運びが容易なコンピュータが正常に作動しないという不具合の発生は回避される。持運びが容易なコンピュータとして、例えば、ラップトップ型コンピュータまたはノートブック型コンピュータが挙げられる。ラップトップ型コンピュータまたはノートブック型コンピュータといった持運びが容易なコンピュータは、小型化、軽薄化、軽量化される傾向にあり、これに伴って、光ピックアップ装置も小型化、軽薄化、軽量化される傾向にある。例えば、持運びが容易なコンピュータが移動されるときに、コンピュータに激しい振動が加えられることがあっても、光ピックアップ装置のハウジングに対して光検出器が位置ずれを起こし、光ピックアップ装置が正常に作動されなくなるという不具合の発生は回避される。光検出器は、ハウジングの位置ずれ防止部に固着される接着剤により、ハウジングに固定され続ける。従って、激しい振動が加えられるといった厳しい使用／環境下においても、安定した動作が行われる小型軽薄化光ピックアップ装置の提供が可能となる。
【発明の効果】
【００４０】
以上の如く、請求項１に記載の発明によれば、接着剤および位置ずれ防止部により、確実に光検出器をハウジングに固定させることができる。ハウジングに対し光検出器もしくは接着剤の位置ずれを防ぐ位置ずれ防止部がハウジングに設けられ、位置ずれ防止部は、複数の方向に沿って延設された固定部を有するものとされているので、例えば、光ピックアップ装置に激しい振動が加えられることがあっても、ハウジングに対し光検出器が位置ずれを起こし、光ピックアップ装置が正常に作動されなくなるという不具合の発生は回避される。光検出器は、ハウジングの位置ずれ防止部に固着される接着剤により、ハウジングに固定される。従って、厳しい使用／環境下においても光検出器に位置ずれが生じることなく安定した動作が行われる光ピックアップ装置を提供することができる。
【００４１】
請求項２に記載の発明によれば、接着剤と、ハウジングに設けられた位置ずれ防止部の第一固定部および第二固定部とにより、確実に光検出器をハウジングに固定させることができる。第一方向に沿って延設された第一固定部と、第二方向に沿って延設された第二固定部とは、異なる方向に沿って延ばされているので、光ピックアップ装置に複雑な振動が加えられても、光検出器は、接着剤を介して第一固定部と第二固定部とに確実に固定され続ける。第一方向に沿って延設された第一固定部と、第二方向に沿って延設された第二固定部とは、ハウジングに対する光検出器の位置ずれを防止させるストッパーとしての機能を果たす。
【００４２】
請求項３に記載の発明によれば、接着剤と、ハウジングに設けられた位置ずれ防止部の第一固定部および第二固定部とにより、確実に光検出器をハウジングに固定させることができる。第一方向に沿って延設された第一固定部に対し、第二方向に沿って延設された第二固定部は、略直交する方向に沿って延長形成されているので、光ピックアップ装置に複雑な振動が加えられて、光ピックアップ装置のハウジングに対し、光検出器に位置ずれが生じるということは回避される。例えば、光ピックアップ装置に共振が生じることがあっても、光検出器は、接着剤を介して、ハウジングに設けられた位置ずれ防止部の第一固定部と、第一固定部が延設された第一方向に対し、略直交する方向とされる第二方向に沿って延長形成された第二固定部とにより、確実にハウジングに固着され続ける。
【００４３】
請求項４に記載の発明によれば、光ピックアップ装置に複雑な振動が加えられ、その結果、光ピックアップ装置のハウジングに対して光検出器に位置ずれが生じ、光ピックアップ装置が正常に作動しないという不具合の発生は確実に回避される。ハウジングに設けられた位置ずれ防止部の第一固定部は、光検出器に当てられる光の光軸方向に沿って延設されているので、光ピックアップ装置に共振が生じたときに、光検出器の照射面に沿って光検出器に位置ずれが生じるということは回避される。光検出器の照射面に沿った方向の力が光検出器に加えられようとされたときに、光検出器の光軸方向に沿って延設された位置ずれ防止部の第一固定部により、光検出器の照射面に沿った方向の力はくい止められる。また、ハウジングに設けられた位置ずれ防止部の第二固定部は、光検出器に光が当てられたときの照射面に沿って延設されているので、光ピックアップ装置に共振が生じたときに、光検出器の光軸方向に沿って光検出器に位置ずれが生じるということは回避される。光検出器の光軸方向に沿った力が光検出器に加えられようとされたときに、光検出器の照射面に沿って延設された位置ずれ防止部の第二固定部により、光検出器の光軸方向に沿った力はくい止められる。従って、光ピックアップ装置に共振が生じることで、光ピックアップ装置のハウジングに対し光検出器に位置ずれが生じ、その結果、光ピックアップ装置が正常に作動されないという不具合の発生を確実に回避させることができる。
【００４４】
請求項５に記載の発明によれば、光ピックアップ装置のハウジングに対し、光検出器に位置ずれが生じるということを確実に防止することができる。ハウジングに設けられた位置ずれ防止部の第一固定部と第二固定部との間に、両固定部を隔てる離間部が備えられているので、接着剤が用いられてハウジングに光検出器が装着されるときに、接着剤は、第一固定部と第二固定部との間の離間部に介在される。これにより、光検出器は、確実にハウジングに固着される。第一固定部と第二固定部とを隔てる離間部に接着剤が介在されることにより、光ピックアップ装置に各方向から激しい振動が加えられても、位置ずれ防止部の第一固定部と、第二固定部と、両固定部を隔てる離間部とに介在された接着剤により、光検出器に位置ずれが生じるということは回避される。従って、安定した動作が行われる光ピックアップ装置を提供することができる。
【００４５】
請求項６に記載の発明によれば、より確実に光検出器をハウジングに固定させることができる。光ピックアップ装置のハウジングに設けられた位置ずれ防止部は、各方向に沿って延設された第一固定部と第二固定部と第三固定部とを備えるものとされているので、光ピックアップ装置に激しい振動が加えられても、光検出器は、第一固定部と第二固定部と第三固定部と接着剤とにより、確実にハウジングに固定され続ける。従って、厳しい使用／環境下で光ピックアップ装置が使われても、ハウジングに対して光検出器が位置ずれを起こし、光ピックアップ装置に動作不良が生じるということは回避される。
【００４６】
請求項７に記載の発明によれば、接着剤と、ハウジングに設けられた位置ずれ防止部の第一固定部と第二固定部と第三固定部とにより、確実に光検出器をハウジングに固定させることができる。第一方向に沿って延設された第一固定部と、第二方向に沿って延設された第二固定部とに対し、第三方向に沿って延設された第三固定部は、略直交する方向に沿って延長形成されているので、光ピックアップ装置に複雑な振動が加えられて、光ピックアップ装置のハウジングに対し、光検出器に位置ずれが生じるということは確実に回避される。例えば、光ピックアップ装置に共振が生じることがあっても、光検出器は、接着剤を介して、ハウジングに設けられた位置ずれ防止部の第一固定部と、第一方向に対し略直交する方向の第二方向に沿って延長形成された第二固定部と、第一方向と第二方向とに対し略直交する方向の第三方向に沿って延設された第三固定部とにより、確実にハウジングに固着され続ける。
【００４７】
請求項８に記載の発明によれば、光ピックアップ装置に複雑な振動が加えられ、その結果、光ピックアップ装置のハウジングに対して光検出器に位置ずれが生じ、光ピックアップ装置が正常に作動しないという不具合の発生を回避できる。ハウジングに設けられた位置ずれ防止部の第三固定部は、光検出器に光が当てられたときの照射面に沿って延設されているので、光ピックアップ装置に共振が生じたときに、光検出器の光軸方向に沿って光検出器に位置ずれが生じるということは回避される。光検出器の光軸方向に沿った力が光検出器に加えられようとされたときに、光検出器の照射面に沿って延設された位置ずれ防止部の第三固定部により、光検出器の光軸方向に沿った力は、よりくい止められる。
【００４８】
請求項９に記載の発明によれば、光ピックアップ装置のハウジングに対し、光検出器に位置ずれが生じるということを、より防止させることができる。ハウジングに設けられた位置ずれ防止部の第一固定部と第三固定部との間に、両固定部を隔てる離間部が備えられているので、接着剤が用いられてハウジングに光検出器が装着されるときに、接着剤は、第一固定部と第三固定部との間の離間部に介在される。これにより、光検出器は、確実にハウジングに固着される。第一固定部と第三固定部とを隔てる離間部に接着剤が介在されることにより、光ピックアップ装置に各方向から激しい振動が加えられても、位置ずれ防止部の第一固定部と、第三固定部と、両固定部を隔てる離間部とに介在された接着剤により、光検出器に位置ずれが生じるということは、より回避される。従って、安定した動作が行われる光ピックアップ装置を提供することができる。
【００４９】
請求項１０に記載の発明によれば、確実に光検出器をハウジングに固定させることができる。ハウジングの位置ずれ防止部に設けられた固定部の溝に接着剤が入り込むことで、ハウジングに対し光検出器は確実に固定される。溝に入り込んで硬化した接着剤にアンカー効果が発揮されるので、接着剤は確実に溝内に固着される。溝に入り込んで固化した接着剤にアンカー効果が発揮されるので、光ピックアップ装置のハウジングに激しい振動が加えられても、接着剤に位置ずれが生じるということは回避される。従って、光検出器は、ハウジングの位置ずれ防止部における固定部の溝に入り込んだ接着剤により、確実にハウジングに固定される。
【００５０】
請求項１１に記載の発明によれば、確実に光検出器をハウジングに装着させることができる。ハウジングに光検出器を固定させるときに、ハウジングから突設された突出部の位置ずれ防止部に接着剤を塗布させることで、光検出器は、ハウジングに確実に固着される。また、ハウジングから突出部を突設させたことにより、ハウジングに光検出器を装着させるための接着剤の塗布作業が行われ易くなる。接着剤が塗布されるための位置ずれ防止部を備えた突出部がハウジングに突設されることにより、ハウジングに対する光検出器の位置ずれ発生は回避され易くなる。
【００５１】
請求項１２に記載の発明によれば、精度よく光検出器をハウジングに装着させることができる。接着剤が用いられて光検出器がハウジングに装着されるときに、固定板に光検出器が装備されていれば、ハウジングに対し、光検出器の取付けが行われるときの位置決め作業は行われ易くなる。光検出器がハウジングに装着されるときに、例えば、光路調整が行われつつハウジングに対し光検出器を備える固定板の取付位置調整が行われ、固定板の取付位置が定められたのちに、ハウジングの位置ずれ防止部と、固定板とに接着剤が塗布されることで、光検出器は、ハウジングに精度よく装着される。
【００５２】
請求項１３に記載の発明によれば、迅速に精度よく光検出器をハウジングに装着固定させることができる。紫外線硬化型接着剤は、塗布された接着剤に紫外線が照射されるだけで硬化するものとされている。光検出器がハウジングに装備されるときに、紫外線硬化型接着剤が用いられていれば、接着剤の固化は迅速に行われる。従って、接着剤が硬化する過程で、ハウジングに対し光検出器に位置ずれが生じるということは回避され、光検出器は正確にハウジングに装備される。
【００５３】
請求項１４に記載の発明によれば、精度よく光検出器をハウジングに装着固定させることができる。エポキシ系接着剤は、低収縮で耐熱性などに優れるものとされている。エポキシ系接着剤は、低収縮なものとされているので、ハウジングに対し光検出器は高精度に装着される。また、エポキシ系接着剤は、耐熱性に優れるものとされているので、例えば、光ピックアップ装置のハウジングが高温となったときに、接着剤が熱の影響を受けて甚だしく変質するということは回避される。光ピックアップ装置が高温となっても、光検出器は、エポキシ系接着剤により、ハウジングに精度よく確実に装着され続ける。
【００５４】
請求項１５に記載の発明によれば、持運びが容易なコンピュータ用光ディスク装置の光ピックアップ装置が動作不良を起こし、その結果、持運びが容易なコンピュータが正常に作動しないという不具合の発生を回避させることができる。持運びが容易なコンピュータとして、例えば、ラップトップ型コンピュータまたはノートブック型コンピュータが挙げられる。ラップトップ型コンピュータまたはノートブック型コンピュータといった持運びが容易なコンピュータは、小型化、軽薄化、軽量化される傾向にあり、これに伴って、光ピックアップ装置も小型化、軽薄化、軽量化される傾向にある。例えば、持運びが容易なコンピュータが移動されるときに、コンピュータに激しい振動が加えられることがあっても、光ピックアップ装置のハウジングに対して光検出器が位置ずれを起こし、光ピックアップ装置が正常に作動されなくなるという不具合の発生は回避される。光検出器は、ハウジングの位置ずれ防止部に固着される接着剤により、ハウジングに固定され続ける。従って、激しい振動が加えられるといった厳しい使用／環境下においても、安定した動作が行われる小型軽薄化光ピックアップ装置を提供することができる。
【図面の簡単な説明】
【００５５】
【図１】本発明に係る光ピックアップ装置の一実施の形態を示す斜視図である。
【図２】光ピックアップ装置の位置ずれ防止部を示す拡大説明図である。
【図３】同じく光ピックアップ装置の位置ずれ防止部を示す拡大平面図である。
【図４】従来の光ピックアップ装置の一形態を示す斜視図である。
【発明を実施するための形態】
【００５６】
以下に本発明に係る光ピックアップ装置の一実施の形態を図面に基づいて詳細に説明する。
【００５７】
図１は、本発明に係る光ピックアップ装置の一実施の形態を示す斜視図、図２は、光ピックアップ装置の位置ずれ防止部を示す拡大説明図、図３は、同じく光ピックアップ装置の位置ずれ防止部を示す拡大平面図である。
【００５８】
図１〜図３の如く、Ｘ−Ｘ軸に沿った方向が、光ピックアップ装置１の奥行方向とされる。また、図１および図２の如く、Ｙ−Ｙ軸に沿った方向が、光ピックアップ装置１の高さ方向とされる。また、図１および図３の如く、Ｚ−Ｚ軸に沿った方向が、光ピックアップ装置１の幅方向とされる。また、図２において、紙面に対し垂直な方向が光ピックアップ装置１のＺ−Ｚ軸方向とされる。また、図３において、紙面に対し垂直な方向が光ピックアップ装置１のＹ−Ｙ軸方向とされる。なお、この明細書における各方向Ｘ，Ｙ，Ｚの定義は、光ピックアップ装置１を説明するための便宜上のものとされる。
【００５９】
光ディスク装置（図示せず）内に各種光ディスク（図示せず）などの各種メディア（図示せず）が挿入される。光ディスク装置に装備される光ピックアップ装置１が用いられて、光ディスクに記録された情報などのデータが再生される。また、光ディスク装置が用いられて、光ディスクに情報などのデータの記録が行われる。光ディスクとして、例えば、「ＣＤ−ＲＯＭ」，「ＤＶＤ−ＲＯＭ」などの読出し専用の光ディスクや、「ＣＤ−Ｒ」，「ＤＶＤ−Ｒ」，「ＤＶＤ＋Ｒ」などの追記型の光ディスクや、「ＣＤ−ＲＷ」，「ＤＶＤ−ＲＷ」，「ＤＶＤ＋ＲＷ」（登録商標），「ＤＶＤ−ＲＡＭ」，「ＨＤ  ＤＶＤ」（登録商標），「Blu-ray Disc」（登録商標）などの書込み／消去や書換え可能なタイプの光ディスクなどが挙げられる。
【００６０】
また、光ディスクとして、例えばディスク両面に信号面（図示せず）が設けられ、データ書込み／消去やデータ書換えが可能とされた光ディスク（図示せず）等も挙げられる。さらに、光ディスクとして、例えば二層の信号面（図示せず）が設けられ、データ書込み／消去やデータ書換えが可能とされた光ディスク（図示せず）等も挙げられる。
【００６１】
「ＣＤ」は、「Compact Disc」（商標）の略称とされる。また、「ＤＶＤ」（登録商標）は、「Digital Versatile Disc」もしくは「Digital Video Disc」の略称とされる。また、「ＣＤ−ＲＯＭ」もしくは「ＤＶＤ−ＲＯＭ」の「ＲＯＭ」は、「Read Only Memory」の略称とされ、ＣＤ−ＲＯＭもしくはＤＶＤ−ＲＯＭは、データ読出し専用のものとされている。また、「ＣＤ−Ｒ」または「ＤＶＤ−Ｒ」もしくは「ＤＶＤ＋Ｒ」の「Ｒ」は、「Recordable」の略称とされ、ＣＤ−ＲまたはＤＶＤ−ＲもしくはＤＶＤ＋Ｒは、データの書込みが可能なものとされている。また、「ＣＤ−ＲＷ」または「ＤＶＤ−ＲＷ」もしくは「ＤＶＤ＋ＲＷ」の「ＲＷ」は、「ReWritable」の略称とされ、ＣＤ−ＲＷまたはＤＶＤ−ＲＷもしくはＤＶＤ＋ＲＷは、データの書換えが可能なものとされている。また、「ＤＶＤ−ＲＡＭ」は、「Digital Versatile Disc Random Access Memory 」の略称とされ、データの読み書き・消去が可能なものとされている。
【００６２】
また、「ＨＤ  ＤＶＤ」は、「High Definition DVD 」の略称とされる。「ＨＤ  ＤＶＤ」は、従来のＤＶＤ系列のものと互換性をもたせ、且つ、従来のＤＶＤ系列のディスクよりも記憶容量の大きいものとされる。従来のＣＤには、赤色／近赤外レーザが用いられていた。また、従来のＤＶＤには、赤色レーザが用いられていた。しかしながら、「ＨＤ  ＤＶＤ」の光ディスク２００に記録されたデータ／情報が読み出されるときには、青紫色レーザが用いられる。また、「Blu-ray 」とは、従来の信号の読み書きに用いられていた赤色のレーザに対し、高密度記録が実現されるために採用された青紫色のレーザを意味する。
【００６３】
図１の如く、ダイカスト製のハウジング５０に、光検出器１０が装備されている。光検出器１０は、不図示の光ディスクからの反射光の一部を受光して、この受光量に比例した受光電流を生成するものとされている。この受光電流は、検出信号とされる。光検出器１０は、レーザ光を受けて、その信号を電気信号に変えて、光ピックアップ装置１のレンズホルダ（図示せず）のサーボ機構（図示せず）を動作させるための信号を出力するためのものとされている。光検出器は、ＰＤまたはＰＤＩＣと呼ばれている。「ＰＤＩＣ」は、「Photo Diode IC」の略称である。このＰＤＩＣ１０は、アルミニウム製の固定板２０に装着されている。また、このＰＤＩＣ１０は、フレキシブル基板５に通電可能に接続されている。
【００６４】
このフレキシブル基板５は、フレキシブルプリント回路体として形成されている。フレキシブルプリント回路体（Flexible Printed Circuit）は、「ＦＰＣ」と略称される。ＦＰＣは、複数の回路導体（図示せず）が絶縁シート（図示せず）に印刷されて、例えば銅箔などの金属箔（図示せず）が絶縁シートに並設され、その上に透明もしくは半透明の保護層（図示せず）が設けられて構成される。便宜上、絶縁シートの回路導体を省略したＦＰＣ５を図示した。
【００６５】
光ピックアップ装置１は、上記各種のものを備えて構成される。光ピックアップ装置１は、図示されたもの以外に、他のもの（図示せず）も備えるものとされているが、図１〜図３においては、便宜上、それらの他のものを省略した。
【００６６】
図１の如く、この光ピックアップ装置１は、光ディスク（図示せず）などのメディア（図示せず）から反射されたレーザ光を受光するＰＤＩＣ１０と、ＰＤＩＣ１０が装備されるプレート２０と、ＰＤＩＣ１０を備えたプレート２０が装備されるハウジング５０とを備えるものとして構成されている。
【００６７】
ＰＤＩＣ１０を備えるプレート２０は、ＰＤＩＣ１０を備えるプレート２０をハウジング５０に装着させる接着剤９１，９２，９３（図２，図３）が用いられてハウジング５０に固定されている。各接着剤９１，９２，９３は、同一の種類のものが用いられている。ハウジング５０に対し、ＰＤＩＣ１０を備えるプレート２０もしくは固化された接着剤９１，９２，９３の位置ずれを防ぐ一対の位置ずれ防止部８０Ａ，８０Ｂ（図１）が、ハウジング５０に設けられている。各位置ずれ防止部８０Ａ，８０Ｂは、複数の方向Ｘ，Ｙ，Ｚに沿って延設された複数の固定部８１，８２，８３を有するものとされている。各位置ずれ防止部８０Ａ，８０Ｂに接着剤９１，９２，９３（図２，図３）が塗布されることで、ハウジング５０に、ＰＤＩＣ１０を備えるプレート２０が装着される。
【００６８】
このようにＰＤＩＣ１０を備えるプレート２０がハウジング５０に装着されていれば、ＰＤＩＣ１０を備えるプレート２０は、接着剤９１，９２，９３およびハウジング５０に設けられた位置ずれ防止部８０Ａ，８０Ｂにより、確実にハウジング５０に固定される。
【００６９】
ハウジング５０に対し、ＰＤＩＣ１０を備えるプレート２０もしくは固化された接着剤９１，９２，９３の位置ずれを防ぐ一対の位置ずれ防止部８０Ａ，８０Ｂがハウジング５０に設けられ、各位置ずれ防止部８０Ａ，８０Ｂは、複数の方向Ｘ，Ｙ，Ｚに沿って延設された複数の固定部８１，８２，８３を有するものとされているので、例えば、光ピックアップ装置１に激しい振動が加えられることがあっても、ハウジング５０に対し、ＰＤＩＣ１０を備えるプレート２０が位置ずれを起こし、光ピックアップ装置１が正常に作動されなくなるという不具合の発生は回避される。ＰＤＩＣ１０を備えるプレート２０は、ハウジング５０の位置ずれ防止部８０Ａ，８０Ｂに固着される各接着剤９１，９２，９３により、ハウジング５０に固定される。
【００７０】
従って、厳しい使用／環境下においても、ＰＤＩＣ１０を備えるプレート２０に位置ずれが生じることなく安定した動作が行われる光ピックアップ装置１を、光ピックアップ装置１の使用者や光ピックアップ装置１を備える光ディスク装置（図示せず）の組立メーカ等に提供することができる。
【００７１】
ハウジング５０に設けられた各位置ずれ防止部８０Ａ，８０Ｂ（図１）は、第一方向Ｘに沿って延設された各第一固定部８１ａ，８１ｂ，８１ｃ，８１ｄ，８１ｅ，８１ｆ，８１ｇ（図２）と、第一方向Ｘと異なる方向の第二方向Ｙに沿って延設された各第二固定部８２ａ，８２ｂとを備えるものとされている。
【００７２】
このように各位置ずれ防止部８０Ａ，８０Ｂが形成されていれば、ＰＤＩＣ１０を備えるプレート２０は、各接着剤９１，９２，９３と、ハウジング５０に設けられた位置ずれ防止部８０Ａ，８０Ｂの各第一固定部８１ａ，８１ｂ，８１ｃ，８１ｄ，８１ｅ，８１ｆ，８１ｇおよび各第二固定部８２ａ，８２ｂとにより、確実にハウジング５０に固定される。
【００７３】
第一方向Ｘに沿って延設された各第一固定部８１ａ，８１ｂ，８１ｃ，８１ｄ，８１ｅ，８１ｆ，８１ｇと、第二方向Ｙに沿って延設された各第二固定部８２ａ，８２ｂとは、異なる方向に沿って延ばされているので、光ピックアップ装置１に複雑な振動が加えられても、ＰＤＩＣ１０を備えるプレート２０は、各接着剤９１，９２，９３を介して、各第一固定部８１ａ，８１ｂ，８１ｃ，８１ｄ，８１ｅ，８１ｆ，８１ｇと、各第二固定部８２ａ，８２ｂとに確実に固定され続ける。第一方向Ｘに沿って延設された各第一固定部８１ａ，８１ｂ，８１ｃ，８１ｄ，８１ｅ，８１ｆ，８１ｇと、第二方向Ｙに沿って延設された各第二固定部８２ａ，８２ｂとは、ハウジング５０に対し、ＰＤＩＣ１０付プレート２０の位置ずれを防止させるストッパーとしての機能を果たす。
【００７４】
一対の突出部７０Ａ，７０Ｂ上に設けられた各位置ずれ防止部８０Ａ，８０Ｂは、ＰＤＩＣ１０が位置する部分を中心に略対称に形成されている。
【００７５】
第一方向Ｘに沿って延設された各第一固定部８１ａ，８１ｂ，８１ｃ，８１ｄ，８１ｅ，８１ｆ，８１ｇに対し、第二方向Ｙに沿って延設された各第二固定部８２ａ，８２ｂは、略直交する方向に沿って延長形成されている。
【００７６】
このようにすることで、ＰＤＩＣ１０を備えるプレート２０は、各接着剤９１，９２，９３と、ハウジング５０に設けられた位置ずれ防止部８０Ａ，８０Ｂの各第一固定部８１ａ，８１ｂ，８１ｃ，８１ｄ，８１ｅ，８１ｆ，８１ｇおよび各第二固定部８２ａ，８２ｂとにより、確実にハウジング５０に固定される。第一方向Ｘに沿って延設された各第一固定部８１ａ，８１ｂ，８１ｃ，８１ｄ，８１ｅ，８１ｆ，８１ｇに対し、第二方向Ｙに沿って延設された各第二固定部８２ａ，８２ｂは、略直交する方向に沿って延長形成されているので、光ピックアップ装置１に複雑な振動が加えられて、光ピックアップ装置１のハウジング５０に対し、ＰＤＩＣ１０を備えるプレート２０に位置ずれが生じるということは回避される。
【００７７】
例えば、光ピックアップ装置１に共振が生じることがあっても、ＰＤＩＣ１０を備えるプレート２０は、各接着剤９１，９２，９３を介して、ハウジング５０に設けられた位置ずれ防止部８０Ａ，８０Ｂの各第一固定部８１ａ，８１ｂ，８１ｃ，８１ｄ，８１ｅ，８１ｆ，８１ｇと、各第一固定部８１ａ，８１ｂ，８１ｃ，８１ｄ，８１ｅ，８１ｆ，８１ｇが延設された第一方向Ｘに対し、略直交する方向とされる第二方向Ｙに沿って延長形成された各第二固定部８２ａ，８２ｂとにより、確実にハウジング５０に固着され続ける。
【００７８】
上記第一方向Ｘ（図１）は、ＰＤＩＣ１０に当てられるレーザ光の光軸方向とされている。また、上記第二方向Ｙは、ＰＤＩＣ１０にレーザ光が当てられたときの照射面に沿った方向とされている。
【００７９】
これにより、光ピックアップ装置１に複雑な振動が加えられ、その結果、光ピックアップ装置１のハウジング５０に対し、ＰＤＩＣ１０を備えるプレート２０に位置ずれが生じ、光ピックアップ装置１が正常に作動しないという不具合の発生は確実に回避される。
【００８０】
ハウジング５０に設けられた位置ずれ防止部８０Ａ，８０Ｂの各第一固定部８１ａ，８１ｂ，８１ｃ，８１ｄ，８１ｅ，８１ｆ，８１ｇは、ＰＤＩＣ１０に当てられるレーザ光の光軸方向に沿って延設されているので、光ピックアップ装置１に共振が生じたときに、ＰＤＩＣ１０の照射面に沿って、ＰＤＩＣ１０を備えるプレート２０に位置ずれが生じるということは回避される。
【００８１】
ＰＤＩＣ１０の照射面に沿った方向の力が、ＰＤＩＣ１０を備えるプレート２０に加えられようとされたときに、ＰＤＩＣ１０の光軸方向に沿って延設された位置ずれ防止部８０Ａ，８０Ｂの各第一固定部８１ａ，８１ｂ，８１ｃ，８１ｄ，８１ｅ，８１ｆ，８１ｇにより、ＰＤＩＣ１０の照射面に沿った方向の力はくい止められる。
【００８２】
また、ハウジング５０に設けられた位置ずれ防止部８０Ａ，８０Ｂの各第二固定部８２ａ，８２ｂは、ＰＤＩＣ１０にレーザ光が当てられたときの照射面に沿って延設されているので、光ピックアップ装置１に共振が生じたときに、ＰＤＩＣ１０の光軸方向に沿って、ＰＤＩＣ１０を備えるプレート２０に位置ずれが生じるということは回避される。
【００８３】
ＰＤＩＣ１０の光軸方向に沿った力が、ＰＤＩＣ１０を備えるプレート２０に加えられようとされたときに、ＰＤＩＣ１０の照射面に沿って延設された位置ずれ防止部８０Ａ，８０Ｂの各第二固定部８２ａ，８２ｂにより、ＰＤＩＣ１０の光軸方向に沿った力はくい止められる。
【００８４】
従って、光ピックアップ装置１に共振が生じることで、光ピックアップ装置１のハウジング５０に対し、ＰＤＩＣ１０を備えるプレート２０に位置ずれが生じ、その結果、光ピックアップ装置１が正常に作動されないという不具合の発生は確実に回避される。
【００８５】
図２の如く、位置ずれ防止部８０Ａ（８０Ｂ）は、第一固定部８１ａ，８１ｂ，８１ｃと第二固定部８２ａ，８２ｂとを隔てる第一離間部８５ａ，８５ｂ，８５ｃを、さらに備えるものとして構成されている。
【００８６】
第一離間部８５ａ，８５ｂ，８５ｃが位置ずれ防止部８０Ａ，８０Ｂに備えられていれば、光ピックアップ装置１のハウジング５０に対し、ＰＤＩＣ１０を備えるプレート２０に位置ずれが生じるということは確実に防止される。ハウジング５０に設けられた位置ずれ防止部８０Ａ，８０Ｂの第一固定部８１ａ，８１ｂ，８１ｃと第二固定部８２ａ，８２ｂとの間に、両固定部８１ａ，８１ｂ，８１ｃ，８２ａ，８２ｂを隔てる第一離間部８５ａ，８５ｂ，８５ｃが備えられているので、接着剤９１が用いられて、ハウジング５０にＰＤＩＣ１０を備えるプレート２０が装着されるときに、接着剤９１は、第一固定部８１ａ，８１ｂ，８１ｃと第二固定部８２ａ，８２ｂとの間の第一離間部８５ａ，８５ｂ，８５ｃに介在される。
【００８７】
これにより、ＰＤＩＣ１０を備えるプレート２０は、確実にハウジング５０に固着される。第一固定部８１ａ，８１ｂ，８１ｃと第二固定部８２ａ，８２ｂとを隔てる第一離間部８５ａ，８５ｂ，８５ｃに、接着剤９１が介在されることにより、光ピックアップ装置１に各方向から激しい振動が加えられても、位置ずれ防止部８０Ａ，８０Ｂの第一固定部８１ａ，８１ｂ，８１ｃと、第二固定部８２ａ，８２ｂと、両固定部８１ａ，８１ｂ，８１ｃ，８２ａ，８２ｂを隔てる第一離間部８５ａ，８５ｂ，８５ｃとに介在された接着剤９１により、ＰＤＩＣ１０を備えるプレート２０に位置ずれが生じるということは回避される。従って、安定した動作が行われる光ピックアップ装置１を、光ピックアップ装置１の使用者や光ピックアップ装置１を備える光ディスク装置（図示せず）の組立メーカ等に提供することができる。
【００８８】
ハウジング５０に設けられた位置ずれ防止部８０Ａ，８０Ｂは、第一方向Ｘと異なる方向とされ且つ第二方向Ｙと異なる方向とされる第三方向Ｚに沿って延設された第三固定部８３ａ，８３ｂを、さらに備えるものとして構成されている。
【００８９】
位置ずれ防止部８０Ａ，８０Ｂに第三固定部８３ａ，８３ｂが備えられることにより、ＰＤＩＣ１０を備えるプレート２０は、より確実にハウジング５０に固定される。光ピックアップ装置１のハウジング５０に設けられた位置ずれ防止部８０Ａ，８０Ｂは、各方向に沿って延設された第一固定部８１ａ，８１ｂ，８１ｃ，８１ｄ，８１ｅ，８１ｆ，８１ｇと、第二固定部８２ａ，８２ｂと、第三固定部８３ａ，８３ｂとを備えるものとされているので、光ピックアップ装置１に激しい振動が加えられても、ＰＤＩＣ１０を備えるプレート２０は、各第一固定部８１ａ，８１ｂ，８１ｃ，８１ｄ，８１ｅ，８１ｆ，８１ｇと、各第二固定部８２ａ，８２ｂと、各第三固定部８３ａ，８３ｂと、各接着剤９１，９２，９３とにより、確実にハウジング５０に固定され続ける。従って、厳しい使用／環境下で光ピックアップ装置１が使われても、ハウジング５０に対し、ＰＤＩＣ１０を備えるプレート２０が位置ずれを起こし、光ピックアップ装置１に動作不良が生じるということは回避される。
【００９０】
第一方向Ｘに沿って延設された各第一固定部８１ａ，８１ｂ，８１ｃ，８１ｄ，８１ｅ，８１ｆ，８１ｇと、第二方向Ｙに沿って延設された各第二固定部８２ａ，８２ｂとに対し、第三方向Ｚに沿って延設された各第三固定部８３ａ，８３ｂは、ハウジング５０から突設された突出部７０Ａ，７０Ｂの角部７５ａ，７５ｂにおいて、略直交する方向に沿って延ばされると共に湾曲状に延長形成されている。
【００９１】
ＰＤＩＣ１０を備えるプレート２０は、固化された各接着剤９１，９２，９３と、ハウジング５０に設けられた位置ずれ防止部８０Ａ，８０Ｂの各第一固定部８１ａ，８１ｂ，８１ｃ，８１ｄ，８１ｅ，８１ｆ，８１ｇと、各第二固定部８２ａ，８２ｂと、各第三固定部８３ａ，８３ｂとにより、確実にハウジング５０に固定される。
【００９２】
第一方向Ｘに沿って延設された各第一固定部８１ａ，８１ｂ，８１ｃ，８１ｄ，８１ｅ，８１ｆ，８１ｇと、第二方向Ｙに沿って延設された各第二固定部８２ａ，８２ｂとに対し、第三方向Ｚに沿って延設された各第三固定部８３ａ，８３ｂは、略直交する方向に沿って延ばされると共に湾曲状に延長形成されているので、光ピックアップ装置１に複雑な振動が加えられて、光ピックアップ装置１のハウジング５０に対し、ＰＤＩＣ１０を備えるプレート２０に位置ずれが生じるということは確実に回避される。
【００９３】
例えば、光ピックアップ装置１に共振が生じることがあっても、ＰＤＩＣ１０を備えるプレート２０は、各接着剤９１，９２，９３を介して、ハウジング５０に設けられた位置ずれ防止部８０Ａ，８０Ｂの各第一固定部８１ａ，８１ｂ，８１ｃ，８１ｄ，８１ｅ，８１ｆ，８１ｇと、第一方向Ｘに対し略直交する方向の第二方向Ｙに沿って延長形成された各第二固定部８２ａ，８２ｂと、第一方向Ｘと第二方向Ｙとに対し略直交する方向の第三方向Ｚに沿って延設された各第三固定部８３ａ，８３ｂとにより、確実にハウジング５０に固着され続ける。
【００９４】
前記第三方向Ｚは、ＰＤＩＣ１０にレーザ光が当てられたときの照射面に沿った方向とされている。
【００９５】
これにより、光ピックアップ装置１に複雑な振動が加えられ、その結果、光ピックアップ装置１のハウジング５０に対し、ＰＤＩＣ１０を備えるプレート２０に位置ずれが生じ、光ピックアップ装置１が正常に作動しないという不具合の発生は回避される。ハウジング５０に設けられた位置ずれ防止部８０Ａ，８０Ｂの各第三固定部８３ａ，８３ｂは、ＰＤＩＣ１０にレーザ光が当てられたときの照射面に沿って延設されているので、光ピックアップ装置１に共振が生じたときに、ＰＤＩＣ１０の光軸方向に沿ってＰＤＩＣ１０を備えるプレート２０に位置ずれが生じるということは回避される。ＰＤＩＣ１０の光軸方向に沿った力が、ＰＤＩＣ１０を備えるプレート２０に加えられようとされたときに、ＰＤＩＣ１０の照射面に沿って延設された位置ずれ防止部８０Ａ，８０Ｂの各第三固定部８３ａ，８３ｂにより、ＰＤＩＣ１０の光軸方向に沿った力は、よりくい止められる。
【００９６】
図２の如く、ハウジング５０に設けられた位置ずれ防止部８０Ａ（８０Ｂ）は、第一固定部８１ｄ，８１ｅ，８１ｆ，８１ｇと、第三固定部８３ａ，８３ｂとを隔てる第二離間部８５ｄ，８５ｅ，８５ｆ，８５ｇを、さらに備えるものとして構成されている。図３を用いて詳しく説明すると、ハウジング５０に設けられた位置ずれ防止部８０Ａ（８０Ｂ）は、第一固定部８１ｄ，８１ｅと、第三固定部８３ａとを隔てる第二離間部８５ｄ，８５ｅを、さらに備えるものとして構成されている。
【００９７】
光ピックアップ装置１のハウジング５０に設けられた位置ずれ防止部８０Ａ，８０Ｂに、第二離間部８５ｄ，８５ｅ，８５ｆ，８５ｇが備えられることにより、光ピックアップ装置１のハウジング５０に対して、ＰＤＩＣ１０を備えるプレート２０に位置ずれが生じるということは、より防止される。ハウジング５０に設けられた位置ずれ防止部８０Ａ，８０Ｂの第一固定８１ｄ，８１ｅ，８１ｆ，８１ｇと、第三固定部８３ａ，８３ｂとの間に、両固定８１ｄ，８１ｅ，８１ｆ，８１ｇ，８３ａ，８３ｂを隔てる第二離間部８５ｄ，８５ｅ，８５ｆ，８５ｇが備えられているので、接着剤９２，９３が用いられて、ハウジング５０にＰＤＩＣ１０を備えるプレート２０が装着されるときに、接着剤９２，９３は、第一固定部８１ｄ，８１ｅ，８１ｆ，８１ｇと第三固定部８３ａ，８３ｂとの間の第二離間部８５ｄ，８５ｅ，８５ｆ，８５ｇに介在される。これにより、ＰＤＩＣ１０を備えるプレート２０は、確実にハウジング５０に固着される。
【００９８】
第一固定部８１ｄ，８１ｅ，８１ｆ，８１ｇと第三固定部８３ａ，８３ｂとを隔てる第二離間部８５ｄ，８５ｅ，８５ｆ，８５ｇに、接着剤９２，９３が介在されることにより、光ピックアップ装置１に各方向から激しい振動が加えられても、位置ずれ防止部８０Ａ，８０Ｂの第一固定８１ｄ，８１ｅ，８１ｆ，８１ｇと、第三固定部８３ａ，８３ｂと、両固定部８１ｄ，８１ｅ，８１ｆ，８１ｇ，８３ａ，８３ｂを隔てる第二離間部８５ｄ，８５ｅ，８５ｆ，８５ｇとに介在された接着剤９２，９３により、ＰＤＩＣ１０を備えるプレート２０に位置ずれが生じるということは、より回避される。従って、安定した動作が行われる光ピックアップ装置１を、光ピックアップ装置１の使用者や光ピックアップ装置１を備える光ディスク装置（図示せず）の組立メーカ等に提供することができる。
【００９９】
ハウジング５０（図１）の位置ずれ防止部８０Ａ，８０Ｂに設けられた固定部８１，８２，８３は、接着剤９１，９２，９３（図２，図３）が入り込むことのできる断面略矩形状の溝８１，８２，８３（図１）を備えるものとされている。図２を用いて詳しく説明すると、固定部８１ａ，８１ｂ，８１ｃ，８１ｄ，８１ｅ，８１ｆ，８１ｇ，８２ａ，８２ｂ，８３ａ，８３ｂは、接着剤９１，９２，９３が入り込むことのできる断面略矩形状の溝８１ａ，８１ｂ，８１ｃ，８１ｄ，８１ｅ，８１ｆ，８１ｇ，８２ａ，８２ｂ，８３ａ，８３ｂを備えるものとされている。
【０１００】
また、第一溝８１ａ，８１ｂ，８１ｃと第二溝８２ａ，８２ｂとを隔てる第一離間部８５ａ，８５ｂ，８５ｃは、第一隔壁８５ａ，８５ｂ，８５ｃとして形成されている。また、第一溝８１ｄ，８１ｅ，８１ｆ，８１ｇと、第三溝８３ａ，８３ｂとを隔てる第二離間部８５ｄ，８５ｅ，８５ｆ，８５ｇは、第二隔壁８５ｄ，８５ｅ，８５ｆ，８５ｇとして形成されている。
【０１０１】
このように、ハウジング５０の位置ずれ防止部８０Ａ，８０Ｂが凹凸状に形成されることにより、ＰＤＩＣ１０を備えるプレート２０は、確実にハウジング５０に固定される。ハウジング５０の位置ずれ防止部８０Ａ，８０Ｂに設けられた固定部８１ａ，８１ｂ，８１ｃ，８１ｄ，８１ｅ，８１ｆ，８１ｇ，８２ａ，８２ｂ，８３ａ，８３ｂの溝８１ａ，８１ｂ，８１ｃ，８１ｄ，８１ｅ，８１ｆ，８１ｇ，８２ａ，８２ｂ，８３ａ，８３ｂに接着剤９１，９２，９３が入り込むことで、ハウジング５０に対し、ＰＤＩＣ１０を備えるプレート２０は確実に固定される。
【０１０２】
溝８１ａ，８１ｂ，８１ｃ，８１ｄ，８１ｅ，８１ｆ，８１ｇ，８２ａ，８２ｂ，８３ａ，８３ｂに入り込んで硬化した接着剤９１，９２，９３に、アンカー効果が発揮されるので、接着剤９１，９２，９３は、確実に溝８１ａ，８１ｂ，８１ｃ，８１ｄ，８１ｅ，８１ｆ，８１ｇ，８２ａ，８２ｂ，８３ａ，８３ｂ内に固着される。アンカー効果とは、接着剤が被着材の表面にある空隙に侵入硬化し、釘や楔のような働きをすることをいう。アンカー効果は、投錨効果もしくはファスナー効果とも呼ばれている。
【０１０３】
溝８１ａ，８１ｂ，８１ｃ，８１ｄ，８１ｅ，８１ｆ，８１ｇ，８２ａ，８２ｂ，８３ａ，８３ｂに入り込んで固化した接着剤９１，９２，９３にアンカー効果が発揮されるので、光ピックアップ装置１のハウジング５０に激しい振動が加えられても、固化された接着剤９１，９２，９３に位置ずれが生じるということは回避される。
【０１０４】
従って、ＰＤＩＣ１０を備えるプレート２０は、ハウジング５０の位置ずれ防止部８０Ａ，８０Ｂにおける固定部８１ａ，８１ｂ，８１ｃ，８１ｄ，８１ｅ，８１ｆ，８１ｇ，８２ａ，８２ｂ，８３ａ，８３ｂの溝８１ａ，８１ｂ，８１ｃ，８１ｄ，８１ｅ，８１ｆ，８１ｇ，８２ａ，８２ｂ，８３ａ，８３ｂに入り込んで固化された接着剤９１，９２，９３により、確実にハウジング５０に固定される。
【０１０５】
位置ずれ防止部８０Ａ，８０Ｂは、ハウジング５０から互いに向かい合わせられて突設された一対の突出部７０Ａ，７０Ｂ上に設けられている。ハウジング５０から互いに向かい合わせられて突設された一対の突出部７０Ａ，７０Ｂは、ＰＤＩＣ１０が位置する部分を中心に略対称に形成されている。
【０１０６】
これにより、ＰＤＩＣ１０を備えるプレート２０は、確実にハウジング５０に装着される。ハウジング５０にＰＤＩＣ１０を備えるプレート２０を固定させるときに、ハウジング５０から突設された突出部７０Ａ，７０Ｂの位置ずれ防止部８０Ａ，８０Ｂに、接着剤９１，９２，９３を塗布させることで、ＰＤＩＣ１０を備えるプレート２０は、ハウジング５０に確実に固着される。
【０１０７】
また、ハウジング５０から突出部７０Ａ，７０Ｂが突設されたことにより、ハウジング５０に、ＰＤＩＣ１０を備えるプレート２０を装着させるための接着剤９１，９２，９３の塗布作業が行われ易くなる。接着剤９１，９２，９３が塗布されるための位置ずれ防止部８０Ａ，８０Ｂを備えた突出部７０Ａ，７０Ｂがハウジング５０に突設されることにより、ハウジング５０に対し、ＰＤＩＣ１０を備えるプレート２０の位置ずれ発生は、回避され易くなる。
【０１０８】
ＰＤＩＣ１０は、ハウジング５０に対してＰＤＩＣ１０の位置決めを行わせ易くさせるプレート２０に装備されている。ＰＤＩＣ１０が装備されたプレート２０と、ハウジング５０の位置ずれ防止部８０Ａ，８０Ｂとに、接着剤９１，９２，９３が塗布される。
【０１０９】
これにより、ＰＤＩＣ１０を備えるプレート２０は、精度よくハウジング５０に装着される。接着剤９１，９２，９３が用いられて、ＰＤＩＣ１０を備えるプレート２０がハウジング５０に装着されるときに、プレート２０にＰＤＩＣ１０が装備されていれば、ハウジング５０に対し、ＰＤＩＣ１０の取付けが行われるときの位置決め作業は行われ易くなる。
【０１１０】
ＰＤＩＣ１０がハウジング５０に装着されるときに、例えば、光路調整が行われつつハウジング５０に対してＰＤＩＣ１０を備えるプレート２０の取付位置調整が行われ、プレート２０の取付位置が定められたのちに、ハウジング５０の位置ずれ防止部８０Ａ，８０Ｂと、プレート２０とに、接着剤９１，９２，９３が塗布されることで、ＰＤＩＣ１０を備えるプレート２０は、ハウジング５０に精度よく装着される。
【０１１１】
上記接着剤９１，９２，９３として、紫外線が照射されることで硬化する紫外線硬化型接着剤９１，９２，９３が用いられた。
【０１１２】
これにより、ＰＤＩＣ１０を備えるプレート２０は、迅速に精度よくハウジング５０に装着固定される。紫外線硬化型接着剤９１，９２，９３は、塗布された接着剤９１，９２，９３に紫外線が照射されるだけで硬化するものとされている。ＰＤＩＣ１０を備えるプレート２０がハウジング５０に装備されるときに、紫外線硬化型接着剤９１，９２，９３が用いられていれば、接着剤９１，９２，９３の固化は迅速に行われる。従って、接着剤９１，９２，９３が硬化する過程で、ハウジング５０に対しＰＤＩＣ１０を備えるプレート２０に位置ずれが生じるということは回避され、ＰＤＩＣ１０を備えるプレート２０は、正確にハウジング５０に装備される。
【０１１３】
上記接着剤９１，９２，９３として、エポキシ系接着剤９１，９２，９３が用いられた。
【０１１４】
これにより、ＰＤＩＣ１０を備えるプレート２０は、精度よくハウジング５０に装着固定される。エポキシ系接着剤９１，９２，９３は、低収縮で耐熱性などに優れるものとされている。エポキシ系接着剤９１，９２，９３は、低収縮なものとされているので、ハウジング５０に対し、ＰＤＩＣ１０を備えるプレート２０は高精度に装着される。
【０１１５】
また、エポキシ系接着剤９１，９２，９３は、耐熱性に優れるものとされているので、例えば、光ピックアップ装置１のハウジング５０が高温となったときに、接着剤９１，９２，９３が熱の影響を受けて甚だしく変質するということは回避される。光ピックアップ装置１が高温となっても、ＰＤＩＣ１０を備えるプレート２０は、エポキシ系接着剤９１，９２，９３により、ハウジング５０に精度よく確実に装着され続ける。エポキシ系接着剤９１，９２，９３は、硬化後に、比較的硬いものとなる。
【０１１６】
光硬化型接着剤の一種とされる紫外線硬化型接着剤として、例えば、米国ＥＭＩ社製：商品名「ＯＰＴＯＣＡＳＴ」シリーズのもの等が挙げられる。具体的な紫外線硬化型接着剤としては、米国ＥＭＩ社製：ＯＰＴＯＣＡＳＴ３４００，ＯＰＴＯＣＡＳＴ３４１５等が挙げられる。ＯＰＴＯＣＡＳＴ３４００，ＯＰＴＯＣＡＳＴ３４１５等の紫外線硬化型接着剤は、エポキシ系のものとされ、一液性の紫外線硬化型接着剤とされている。エポキシ系の紫外線硬化型接着剤は、低収縮性で高耐熱性のものとされ、耐薬品性、耐湿性に優れるものとされている。一液性の紫外線硬化型接着剤が用いられることにより、二液性の紫外線硬化型接着剤が使用されるときに行われる液と液との混合作業が不要となる。従って、接着剤の塗布工程は、迅速で効率的に行われる。
【０１１７】
また、光硬化型接着剤の一種とされる紫外線硬化型接着剤として、例えば、米国ＮＯＲＬＡＮＤ社製：光学ＵＶ接着剤ＮＯＡ６０，ＮＯＡ８３Ｈ等が挙げられる。光学ＵＶ接着剤ＮＯＡ６０，ＮＯＡ８３Ｈ等の紫外線硬化型接着剤は、アクリル系のものとされ、一液性の紫外線硬化型接着剤とされている。アクリル系の紫外線硬化型接着剤は、硬化時間が短く数秒単位で硬化可能なものとされている。「ＵＶ」とは、「ultraviolet 」を意味する。また、「ultraviolet radiation 」は、「紫外線」を意味する。紫外線硬化型接着剤は、ＵＶ硬化型接着剤などと呼ばれている。光ピックアップ装置の設計仕様などにより、例えば二液性の紫外線硬化型接着剤が用いられて接着工程が行われたものも使用可能とされる。二液性の紫外線硬化型接着剤として、例えば二液性エポキシ系の紫外線硬化型接着剤などが挙げられる。
【０１１８】
ＰＤＩＣ１０がハウジング５０に装着されるときの工程について説明する。先ず、ＰＤＩＣ１０の光路位置調整を行う。ハウジング５０内に形成される光路（図示せず）に対し、ＰＤＩＣ１０のＸ軸と、ＰＤＩＣ１０のＹ軸と、ＰＤＩＣ１０のＺ軸とを調整する。ハウジング５０に対するＰＤＩＣ１０の取付位置調整が行われたのちに、ＰＤＩＣ１０が装着されたプレート２０と、ハウジング５０の位置ずれ防止部８０Ａ，８０Ｂとの間に、固定用のエポキシ系紫外線硬化型接着剤９１，９２，９３を橋渡すようにして塗布する。その後、エポキシ系紫外線硬化型接着剤９１，９２，９３に紫外線を照射させて、エポキシ系紫外線硬化型接着剤９１，９２，９３を硬化させる。このようにして、ＰＤＩＣ１０を備えるプレート２０をハウジング５０に固定させる。
【０１１９】
光ピックアップ装置１は、持運びが容易なコンピュータの光ディスク装置（図示せず）に装備可能な小型軽薄なものとされている。
【０１２０】
略安定した動作を行う小型軽薄な光ピックアップ装置１が光ディスク装置に装備されていれば、持運びが容易なコンピュータ用光ディスク装置の光ピックアップ装置１が動作不良を起こし、その結果、持運びが容易なコンピュータが正常に作動しないという不具合の発生は回避される。持運びが容易なコンピュータとして、例えば、ラップトップ型コンピュータ（図示せず）や、ノートブック型コンピュータ（図示せず）等が挙げられる。
【０１２１】
コンピュータについて説明する。パーソナルコンピュータ（Personal Computer ）は、「ＰＣ」と略称とされている。また、パーソナルコンピュータは、パソコン等と略称されて用いられている。
【０１２２】
デスクトップ型コンピュータは、卓上型コンピュータとされ、机の上で使用可能なコンピュータとされている。しかしながら、デスクトップ型コンピュータは、容易に持運びができないタイプのものとされている。
【０１２３】
デスクトップ型ＰＣに対し、ラップトップ型ＰＣや、ノート型ＰＣは、軽量化、軽薄化が要求されることから、スリム型ドライブとされる光ディスク装置を備えた構造のものとされている。ラップトップ型ＰＣや、ノート型ＰＣは、デスクトップ型ＰＣと異なる構造のものとされている。ラップトップ型ＰＣもしくはノート型ＰＣは、ディスプレイ（図示せず）と、ＰＣ本体（図示せず）とが、一体構造のものとされている。ＰＣ本体に対し、ディスプレイが折りたたまれることで、ラップトップ型ＰＣもしくはノート型ＰＣは、薄型サイズのものとなる。ノート型ＰＣは、このものが折りたたまれて平面視されたときに、略Ａ４判もしくはこれ以下の大きさの汎用ＰＣとされる。このようなことから、ノート型ＰＣは、ブック型ＰＣとも呼ばれている。このように、ノート型ＰＣもしくはラップトップ型ＰＣは、コンパクトなものとして容易に持運びができるものとされている。
【０１２４】
ラップトップ型コンピュータや、ノートブック型コンピュータ等の持運びが容易な形態のコンピュータは、小型化、軽薄化、軽量化される傾向にあり、これに伴って、光ピックアップ装置１も小型化、軽薄化、軽量化される傾向にある。
【０１２５】
例えば、持運びが容易なコンピュータが移動されるときに、コンピュータに激しい振動が加えられることがあっても、光ピックアップ装置１のハウジング５０に対してＰＤＩＣ１０が位置ずれを起こし、光ピックアップ装置１が正常に作動されなくなるという不具合の発生は回避される。ＰＤＩＣ１０は、ハウジング５０の位置ずれ防止部８０Ａ，８０Ｂに固着される接着剤９１，９２，９３により、ハウジング５０に固定され続ける。
【０１２６】
従って、激しい振動が加えられるといった厳しい使用／環境下においても、ＰＤＩＣ１０を備えるプレート２０に位置ずれが生じることなく、安定した動作が行われる小型軽薄化光ピックアップ装置１を、光ピックアップ装置１の使用者や光ピックアップ装置１を備える光ディスク装置の組立メーカ等に提供することができる。
【０１２７】
上記光ピックアップ装置１は、例えば「ＣＤ−ＲＯＭ」，「ＤＶＤ−ＲＯＭ」などに対応したデータ読出し専用の光ディスク装置に装備可能とされる。また、上記光ディスク装置用チルト調整回路は、例えば、「ＣＤ−ＲＯＭ」，「ＤＶＤ−ＲＯＭ」などの読出し専用の光ディスクや、「ＣＤ−Ｒ」，「ＤＶＤ−Ｒ」，「ＤＶＤ＋Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ−ＤＶＤ」，「Blu ray Disc」などの書込み／消去や書換え可能なタイプの光ディスクに対応した光ディスク装置に装備可能とされる。
【０１２８】
また、上記光ピックアップ装置１を備える光ディスク装置は、例えば、ノート型ＰＣや、ラップトップ型ＰＣや、デスクトップ型ＰＣなどのコンピュータや、ＣＤプレーヤなどの音響機器や、ＤＶＤプレーヤなどの音響／映像機器などに装備可能なものとされる。また、上記光ディスク装置は、ＣＤ系光ディスクや、ＤＶＤ系光ディスク等の複数のメディアに対応可能なものとされる。本発明のものは、図示されたものに限定されるものではない。本発明のものは、その要旨を逸脱しない範囲において、種々変更可能なものとされる。
【符号の説明】
【０１２９】
１                光ピックアップ装置
５                ＦＰＣ（フレキシブル基板）
１０              ＰＤＩＣ（光検出器）
２０              プレート（固定板）
５０              ハウジング
７０Ａ，７０Ｂ    突出部
７５ａ，７５ｂ    角部
８０Ａ，８０Ｂ    位置ずれ防止部
８１，８１ａ，８１ｂ，８１ｃ，８１ｄ，８１ｅ，８１ｆ，８１ｇ，８２，８２ａ，８２ｂ，８３，８３ａ，８３ｂ  溝（固定部）
８５ａ，８５ｂ，８５ｃ，８５ｄ，８５ｅ，８５ｆ，８５ｇ  隔壁（離間部）
９１，９２，９３  紫外線硬化型接着剤（接着剤）
【図１】
2011123996.tif 000003
【図２】
2011123996.tif 000004
【図３】
2011123996.tif 000005
【図４】
2011123996.tif 000006
【手続補正書】
【提出日】平成23年3月16日(2011.3.16)
【手続補正１】
【補正対象書類名】明細書
【補正対象項目名】００１０
【補正方法】変更
【補正の内容】
【００１０】
上記目的を達成するために、本発明の請求項１に係る光ピックアップ装置は、メディアから反射された光を受光する光検出器と、該光検出器が装備されるハウジングとを備え、該光検出器は、該ハウジングに対し該光検出器の位置決めを行わせ易くさせる固定板に装備されると共に、該光検出器を該ハウジングに備えさせる接着剤が用いられて該ハウジングに備えられ、該ハウジングに対し該光検出器もしくは該接着剤の位置ずれを防ぐ位置ずれ防止部が該ハウジングに設けられ、該位置ずれ防止部は、複数の方向に沿って延設された固定部を有すると共に、各該固定部を隔てる隔壁として形成された離間部を有し、該固定板と、該ハウジングの該位置ずれ防止部とに、該接着剤が塗布されることで、該ハウジングに該光検出器が備えられたことを特徴とする。
【手続補正２】
【補正対象書類名】明細書
【補正対象項目名】００１１
【補正方法】変更
【補正の内容】
【００１１】
上記構成により、光検出器は、接着剤および位置ずれ防止部により確実にハウジングに固定される。ハウジングに対し光検出器もしくは接着剤の位置ずれを防ぐ位置ずれ防止部がハウジングに設けられ、位置ずれ防止部は、複数の方向に沿って延設された固定部を有するものとされているので、例えば、光ピックアップ装置に激しい振動が加えられることがあっても、ハウジングに対し光検出器が位置ずれを起こし、光ピックアップ装置が正常に作動されなくなるという不具合の発生は回避される。光検出器は、ハウジングの位置ずれ防止部に固着される接着剤により、ハウジングに固定される。従って、厳しい使用／環境下においても光検出器に位置ずれが生じることなく安定した動作が行われる光ピックアップ装置の提供が可能となる。
また、光検出器は、精度よくハウジングに装着される。接着剤が用いられて光検出器がハウジングに装着されるときに、固定板に光検出器が装備されていれば、ハウジングに対し、光検出器の取付けが行われるときの位置決め作業は行われ易くなる。光検出器がハウジングに装着されるときに、例えば、光路調整が行われつつハウジングに対し光検出器を備える固定板の取付位置調整が行われ、固定板の取付位置が定められたのちに、ハウジングの位置ずれ防止部と、固定板とに接着剤が塗布されることで、光検出器は、ハウジングに精度よく装着される。
【手続補正３】
【補正対象書類名】明細書
【補正対象項目名】００１８
【補正方法】変更
【補正の内容】
【００１８】
請求項５に係る光ピックアップ装置は、請求項２〜４の何れか１項に記載の光ピックアップ装置において、前記位置ずれ防止部は、前記第一固定部と前記第二固定部とを隔てる前記離間部を備えることを特徴とする。
【手続補正４】
【補正対象書類名】明細書
【補正対象項目名】００２６
【補正方法】変更
【補正の内容】
【００２６】
請求項９に係る光ピックアップ装置は、請求項６〜８の何れか１項に記載の光ピックアップ装置において、前記位置ずれ防止部は、前記第一固定部と、前記第三固定部とを隔てる前記離間部を備えることを特徴とする。
【手続補正５】
【補正対象書類名】明細書
【補正対象項目名】００３２
【補正方法】変更
【補正の内容】
【００３２】
請求項１２に係る光ピックアップ装置は、請求項１〜１１の何れか１項に記載の光ピックアップ装置において、前記固定板と、前記ハウジングの前記位置ずれ防止部とに、前記接着剤が橋渡すように塗布されたことを特徴とする。
【手続補正６】
【補正対象書類名】明細書
【補正対象項目名】００３９
【補正方法】変更
【補正の内容】
【００３９】
上記構成により、持運びが容易なコンピュータ用光ディスク装置の光ピックアップ装置が動作不良を起こし、その結果、持運びが容易なコンピュータが正常に作動しないという不具合の発生は回避される。持運びが容易なコンピュータとして、例えば、ラップトップ型コンピュータまたはノートブック型コンピュータが挙げられる。ラップトップ型コンピュータまたはノートブック型コンピュータといった持運びが容易なコンピュータは、小型化、軽薄化、軽量化される傾向にあり、これに伴って、光ピックアップ装置も小型化、軽薄化、軽量化される傾向にある。例えば、持運びが容易なコンピュータが移動されるときに、コンピュータに激しい振動が加えられることがあっても、光ピックアップ装置のハウジングに対して光検出器が位置ずれを起こし、光ピックアップ装置が正常に作動されなくなるという不具合の発生は回避される。光検出器は、ハウジングの位置ずれ防止部に固着される接着剤により、ハウジングに固定され続ける。従って、激しい振動が加えられるといった厳しい使用／環境下においても、安定した動作が行われる小型軽薄化光ピックアップ装置の提供が可能となる。
請求項１６に係る光ピックアップ装置は、メディアから反射された光を受光する光検出器と、該光検出器が装備されるハウジングとを備え、該光検出器は、該光検出器を該ハウジングに備えさせる接着剤が用いられて該ハウジングに備えられ、該ハウジングに対し該光検出器および／もしくは該接着剤の位置ずれを防ぐ位置ずれ防止部が該ハウジングに設けられ、該位置ずれ防止部は、複数の方向に沿って延設された固定部を有すると共に、各該固定部を隔てる隔壁として形成された離間部を有し、該位置ずれ防止部に該接着剤が塗布されることで、該ハウジングに該光検出器が備えられたことを特徴とする。
請求項１７に係る光ピックアップ装置は、メディアから反射された光を受光する光検出器と、該光検出器が装備されるハウジングとを備え、該光検出器は、該光検出器を該ハウジングに備えさせる接着剤が用いられて該ハウジングに備えられ、該ハウジングに対し該光検出器および／もしくは該接着剤の位置ずれを防ぐ位置ずれ防止部が該ハウジングから突設された突出部に設けられ、該位置ずれ防止部は、複数の方向に沿って延設された固定部を有し、該位置ずれ防止部に該接着剤が塗布されることで、該ハウジングに該光検出器が備えられたことを特徴とする。
請求項１８に係る光ピックアップ装置は、請求項１７に記載の光ピックアップ装置において、前記位置ずれ防止部は、各前記固定部を隔てる隔壁として形成された離間部を有することを特徴とする。
【手続補正７】
【補正対象書類名】明細書
【補正対象項目名】００４０
【補正方法】変更
【補正の内容】
【００４０】
以上の如く、本発明によれば、接着剤および位置ずれ防止部により、確実に光検出器をハウジングに固定させることができる。ハウジングに対し光検出器もしくは接着剤の位置ずれを防ぐ位置ずれ防止部がハウジングに設けられ、位置ずれ防止部は、複数の方向に沿って延設された固定部を有するものとされているので、例えば、光ピックアップ装置に激しい振動が加えられることがあっても、ハウジングに対し光検出器が位置ずれを起こし、光ピックアップ装置が正常に作動されなくなるという不具合の発生は回避される。光検出器は、ハウジングの位置ずれ防止部に固着される接着剤により、ハウジングに固定される。従って、厳しい使用／環境下においても光検出器に位置ずれが生じることなく安定した動作が行われる光ピックアップ装置を提供することができる。
また、請求項１に記載の発明によれば、精度よく光検出器をハウジングに装着させることができる。接着剤が用いられて光検出器がハウジングに装着されるときに、固定板に光検出器が装備されていれば、ハウジングに対し、光検出器の取付けが行われるときの位置決め作業は行われ易くなる。光検出器がハウジングに装着されるときに、例えば、光路調整が行われつつハウジングに対し光検出器を備える固定板の取付位置調整が行われ、固定板の取付位置が定められたのちに、ハウジングの位置ずれ防止部と、固定板とに接着剤が塗布されることで、光検出器は、ハウジングに精度よく装着される。
【手続補正８】
【補正対象書類名】特許請求の範囲
【補正対象項目名】全文
【補正方法】変更
【補正の内容】
【特許請求の範囲】
【請求項１】
メディアから反射された光を受光する光検出器と、
該光検出器が装備されるハウジングと
を備え、
該光検出器は、該ハウジングに対し該光検出器の位置決めを行わせ易くさせる固定板に装備されると共に、該光検出器を該ハウジングに備えさせる接着剤が用いられて該ハウジングに備えられ、
該ハウジングに対し該光検出器もしくは該接着剤の位置ずれを防ぐ位置ずれ防止部が該ハウジングに設けられ、
該位置ずれ防止部は、複数の方向に沿って延設された固定部を有すると共に、各該固定部を隔てる隔壁として形成された離間部を有し、
該固定板と、該ハウジングの該位置ずれ防止部とに、該接着剤が塗布されることで、該ハウジングに該光検出器が備えられたことを特徴とする光ピックアップ装置。
【請求項２】
前記位置ずれ防止部は、
第一方向に沿って延設された第一固定部と、
該第一方向と異なる方向の第二方向に沿って延設された第二固定部と
を備えることを特徴とする請求項１に記載の光ピックアップ装置。
【請求項３】
前記第一方向に沿って延設された前記第一固定部に対し、前記第二方向に沿って延設された前記第二固定部は、略直交する方向に沿って延長形成されたことを特徴とする請求項２に記載の光ピックアップ装置。
【請求項４】
前記第一方向は、前記光検出器に当てられる前記光の光軸方向とされ、
前記第二方向は、該光検出器に該光が当てられたときの照射面に沿った方向とされたことを特徴とする請求項２又は３に記載の光ピックアップ装置。
【請求項５】
前記位置ずれ防止部は、前記第一固定部と前記第二固定部とを隔てる前記離間部を備えることを特徴とする請求項２〜４の何れか１項に記載の光ピックアップ装置。
【請求項６】
前記位置ずれ防止部は、前記第一方向と異なる方向とされ且つ前記第二方向と異なる方向とされる第三方向に沿って延設された第三固定部を、さらに備えることを特徴とする請求項２〜５の何れか１項に記載の光ピックアップ装置。
【請求項７】
前記第一方向に沿って延設された前記第一固定部と、前記第二方向に沿って延設された前記第二固定部とに対し、前記第三方向に沿って延設された前記第三固定部は、略直交する方向に沿って延長形成されたことを特徴とする請求項６に記載の光ピックアップ装置。
【請求項８】
前記第三方向は、前記光検出器に前記光が当てられたときの照射面に沿った方向とされたことを特徴とする請求項６又は７に記載の光ピックアップ装置。
【請求項９】
前記位置ずれ防止部は、前記第一固定部と、前記第三固定部とを隔てる前記離間部を備えることを特徴とする請求項６〜８の何れか１項に記載の光ピックアップ装置。
【請求項１０】
前記固定部は、前記接着剤が入り込むことのできる溝を備えることを特徴とする請求項１〜９の何れか１項に記載の光ピックアップ装置。
【請求項１１】
前記位置ずれ防止部は、前記ハウジングから突設された突出部に設けられたことを特徴とする請求項１〜１０の何れか１項に記載の光ピックアップ装置。
【請求項１２】
前記固定板と、前記ハウジングの前記位置ずれ防止部とに、前記接着剤が橋渡すように塗布されたことを特徴とする請求項１〜１１の何れか１項に記載の光ピックアップ装置。
【請求項１３】
前記接着剤として、紫外線が照射されることで硬化する紫外線硬化型接着剤が用いられたことを特徴とする請求項１〜１２の何れか１項に記載の光ピックアップ装置。
【請求項１４】
前記接着剤として、エポキシ系接着剤が用いられたことを特徴とする請求項１〜１３の何れか１項に記載の光ピックアップ装置。
【請求項１５】
持運びが容易なコンピュータの光ディスク装置に装備可能とされたことを特徴とする請求項１〜１４の何れか１項に記載の光ピックアップ装置。
【請求項１６】
メディアから反射された光を受光する光検出器と、
該光検出器が装備されるハウジングと
を備え、
該光検出器は、該光検出器を該ハウジングに備えさせる接着剤が用いられて該ハウジングに備えられ、
該ハウジングに対し該光検出器および／もしくは該接着剤の位置ずれを防ぐ位置ずれ防止部が該ハウジングに設けられ、
該位置ずれ防止部は、複数の方向に沿って延設された固定部を有すると共に、各該固定部を隔てる隔壁として形成された離間部を有し、
該位置ずれ防止部に該接着剤が塗布されることで、該ハウジングに該光検出器が備えられたことを特徴とする光ピックアップ装置。
【請求項１７】
メディアから反射された光を受光する光検出器と、
該光検出器が装備されるハウジングと
を備え、
該光検出器は、該光検出器を該ハウジングに備えさせる接着剤が用いられて該ハウジングに備えられ、
該ハウジングに対し該光検出器および／もしくは該接着剤の位置ずれを防ぐ位置ずれ防止部が該ハウジングから突設された突出部に設けられ、
該位置ずれ防止部は、複数の方向に沿って延設された固定部を有し、
該位置ずれ防止部に該接着剤が塗布されることで、該ハウジングに該光検出器が備えられたことを特徴とする光ピックアップ装置。
【請求項１８】
前記位置ずれ防止部は、各前記固定部を隔てる隔壁として形成された離間部を有することを特徴とする請求項１７に記載の光ピックアップ装置。